(57)【要約】【課題】２つの商品を仕切板により仕切る煩わしい作業を廃止して作業の効率化を図り、かつ、２つの商品を整然とレイアウトして見栄えを良好に保ちつつ商品イメージを向上できる組立ケースを提供する。【解決手段】４枚の壁面板１１ａ〜１１ｄの側端縁同士が折罫部２１を介して折り曲げ自在に連設された組立ケース本体１１に、内部空間３０を２つに区画する区画体３を設ける。この区画体３に、組立ケース本体１１の展開時に右壁面板１１ｄの端縁に折罫部３３を介して一端が連設され、かつ前壁面板１１ａの裏面に沿って延びる第１区画壁３１と、この第１区画壁３１に折罫部３４を介して一端が連設され、内部空間３０を左右に区画するように後壁面板１１ｃに向かって延びる第２区画壁３２と、第２区画壁３２の他端を後壁面板１１ｃの裏面側において保持するように左壁面板１１ｂ及び右壁面板１１ｄに対し位置決めする位置決め片３５とを設ける。【選択図】図２
2011136720.tif 000002
【特許請求の範囲】
【請求項１】
複数の壁面板の側端縁同士が折罫部を介して折り曲げ自在に連設され、軸線を上下方向へ延ばすような多角筒状に組み立てられる組立ケース本体と、前記組立ケース本体の各壁面板のうちの一つの壁面板の上端縁に折罫部を介して折り曲げ自在に連設され、前記組立ケース本体の上方に開口する上方開口を閉塞する上蓋板と、前記各壁面板のうちの一つの壁面板の下端縁に折罫部を介して折り曲げ自在に連設され、前記組立ケース本体の下方に開口する下方開口を閉塞する下蓋板と、を備える組立ケースであって、
前記組立ケース本体は、前記組立ケース本体の展開時に他側の外側端に位置する他側壁面板の他側端縁に折罫部を介して折り曲げ自在に連設され、かつ前記組立ケース本体が組み立てられた際に前記組立ケース本体の展開時に一側の外側端に位置する一側壁面板の表面に裏面が接着される糊代片を備えているとともに、前記組立ケース本体が組み立てられた際に内部に形成される内部空間を区画する区画体を備えており、
前記区画体は、
前記一側壁面板の一側端縁に折罫部を介して一端が折り曲げ自在に連設され、かつ前記他側壁面板の裏面に沿って延びる第１区画壁と、
前記第１区画壁の他端に折罫部を介して一端が折り曲げ自在に連設され、前記組立ケース本体が組み立てられた際に前記内部空間を区画するように前記他側壁面板と対向する第１対向壁面板に向かって他端が延びる第２区画壁と、
前記組立ケース本体が組み立てられた際に前記第２区画壁の他端を前記第１対向壁面板の裏面側において保持するように前記一側壁面板とこの一側壁面板に前記第２区画壁を挟んで対向する第２対向壁面板とに対し当該第２区画壁の他端をそれぞれ位置決めする位置決め片と、
を備えていることを特徴とする組立ケース。
【請求項２】
複数の壁面板の側端縁同士が折罫部を介して折り曲げ自在に連設され、軸線を上下方向へ延ばすような多角筒状に組み立てられる組立ケース本体と、前記組立ケース本体の各壁面板のうちの一つの壁面板の上端縁に折罫部を介して折り曲げ自在に連設され、前記組立ケース本体の上方に開口する上方開口を閉塞する上蓋板と、前記各壁面板のうちの一つの壁面板の下端縁に折罫部を介して折り曲げ自在に連設され、前記組立ケース本体の下方に開口する下方開口を閉塞する下蓋板と、を備える組立ケースであって、
前記組立ケース本体は、前記組立ケース本体の展開時に他側の外側端に位置する他側壁面板の他側端縁に折罫部を介して折り曲げ自在に連設され、かつ前記組立ケース本体が組み立てられた際に前記組立ケース本体の展開時に一側の外側端に位置する一側壁面板の表面に裏面が接着される糊代片を備えているとともに、前記組立ケース本体が組み立てられた際に内部に形成される内部空間を区画する区画体を備えており、
前記区画体は、
前記一側壁面板の一側端縁に折罫部を介して一端が折り曲げ自在に連設され、かつ前記他側壁面板の裏面に沿って延びる第１区画壁と、
前記組立ケース本体が組み立てられた際に前記内部空間を区画するように前記他側壁面板からこれと対向する第１対向壁面板に向かって他端が延びる第２区画壁と、
前記第１区画壁と前記第２区画壁との間にそれぞれ折罫部を介して折り曲げ自在に介設され、前記組立ケース本体が組み立てられた際に前記第２区画壁の一端を前記他側壁面板の裏面側において保持するように前記一側壁面板に前記第２区画壁を挟んで対向する第２対向壁面板に対し当該第２区画壁の一端を位置決めする位置決め片と、
を備えていることを特徴とする組立ケース。
【発明の詳細な説明】
【技術分野】
【０００１】
本発明は、例えば、菓子、化粧品、薬などの様々な商品が収容物として収容される組立ケースに関する。
【背景技術】
【０００２】
一般に、菓子、化粧品、薬など様々な商品が収容される組立ケースは、紙製又は硬質でかつ透明なプラスチック製などの１枚のブランクシートから一体的に打ち抜かれたケース形成片より組み立てられることがある。
このような組立ケースとしては、従来より、図１４に示すような組立ケース９が知られている（例えば、特許文献１参照）。この組立ケース９は、４枚の壁面板９１ａ〜９１ｄの側端縁同士が折罫部９２を介して折り曲げ自在に連設され、かつ軸線を上下方向へ延ばすように組み立てられる四角筒状の組立ケース本体９１を備えている。また、前記組立ケース９は、前記組立ケース本体９１の各壁面板９１ａ〜９１ｄのうちの一つの壁面板９１ｃ（具体的には前側に位置する壁面板９１ａ）の上端縁及び下端縁にそれぞれ折罫部９２を介して折り曲げ自在に連設された上蓋板９３及び下蓋板９４を備えている。前記上蓋板９３によって、前記組立ケース本体９１の上方に開口する上方開口を閉塞する一方、前記下蓋板９４によって、前記組立ケース本体９１の下方に開口する下方開口を閉塞している。この場合、上蓋板９３及び下蓋板９４は、それぞれ反壁面板９１ａ側（反折罫部９２側）の端縁に折罫部９５を介して折り曲げ自在に連設された差込舌片９３ａ，９４ａを有し、上蓋板９３及び下蓋板９４が上方開口及び下方開口を閉塞した状態で、前記差込舌片９３ａ，９４ａが組立ケース本体９１内に入り込む。
【先行技術文献】
【特許文献】
【０００３】
【特許文献１】特開２００６−２１２８６１号公報
【発明の概要】
【発明が解決しようとする課題】
【０００４】
ところで、組立ケース本体が組み立てられた際に内部に形成される内部空間に収容される商品は単品であるとは限らず、２つの商品が一緒に収容されることがある。
その場合、商品が収容されてから店頭に陳列されるまでの輸送経路途中において、互いの商品が組立ケースの内部空間で移動して２つの商品が陳列時に片寄ってしまうことがある。
【０００５】
そこで、組立ケースの内部空間を２つに仕切る仕切板を別途用意し、２つの商品を仕切板により仕切って輸送経路途中での移動を規制することで、組立ケースが陳列された際の２つの商品の片寄りをなくすようにすることが考えられる。
しかしながら、組立ケースの内部空間に商品を収容する度に仕切板により２つの商品を仕切る作業に手間を要し、その作業が非常に煩わしいものとなる。
しかも、組立ケースの内部空間を仕切板により単に仕切るだけでは、その仕切板により仕切られた組立ケースごとの内部空間の比率が当該仕切板の移動によって差が生じてしまう。このため、陳列された組立ケースの内部空間で２つの商品が雑然とレイアウトされてしまい、見栄えが著しく悪化して商品イメージが損なわれることがある。
【０００６】
本発明は、かかる点に鑑みてなされたものであり、その目的とするところは、２つの商品を仕切板により仕切る煩わしい作業を廃止して作業の効率化を図り、かつ、２つの商品を整然とレイアウトして見栄えを良好に保つことで商品イメージを向上させることができる組立ケースを提供することにある。
【課題を解決するための手段】
【０００７】
前記目的を達成するため、本発明では、複数の壁面板の側端縁同士が折罫部を介して折り曲げ自在に連設され、軸線を上下方向へ延ばすような多角筒状に組み立てられる組立ケース本体と、前記組立ケース本体の各壁面板のうちの一つの壁面板の上端縁に折罫部を介して折り曲げ自在に連設され、前記組立ケース本体の上方に開口する上方開口を閉塞する上蓋板と、前記各壁面板のうちの一つの壁面板の下端縁に折罫部を介して折り曲げ自在に連設され、前記組立ケース本体の下方に開口する下方開口を閉塞する下蓋板と、を備える組立ケースを前提とする。更に、前記組立ケース本体は、前記組立ケース本体の展開時に他側の外側端に位置する他側壁面板の他側端縁に折罫部を介して折り曲げ自在に連設され、かつ前記組立ケース本体が組み立てられた際に前記組立ケース本体の展開時に一側の外側端に位置する一側壁面板の表面に裏面が接着される糊代片を備えるとともに、前記組立ケース本体が組み立てられた際に内部に形成される内部空間を区画する区画体を備えている。そして、前記区画体に、前記一側壁面板の一側端縁に折罫部を介して一端が折り曲げ自在に連設され、かつ前記他側壁面板の裏面に沿って延びる第１区画壁と、前記第１区画壁の他端に折罫部を介して一端が折り曲げ自在に連設され、前記組立ケース本体が組み立てられた際に前記内部空間を区画するように前記他側壁面板と対向する第１対向壁面板に向かって他端が延びる第２区画壁と、前記組立ケース本体が組み立てられた際に前記第２区画壁の他端を前記第１対向壁面板の裏面側において保持するように前記一側壁面板とこの一側壁面板に前記第２区画壁を挟んで対向する第２対向壁面板とに対し当該第２区画壁の他端をそれぞれ位置決めする位置決め片と、を設けている。
【０００８】
この特定事項により、組立ケース本体に、その組立ケース本体が組み立てられた際に内部空間を区画する区画体を設けている。つまり、一側壁面板（組立ケース本体の展開時に一側の外側端に位置する壁面板）の一側端縁に連設された第１区画壁は、組立ケース本体が組み立てられた際に他側壁面板（組立ケース本体の展開時に他側の外側端に位置する壁面板）の裏面に沿って延び、この第１区画壁に一端が連設されて他端が第１対向壁面板（他側壁面板と対向する壁面板）に向かって延びる第２区画壁によって内部空間を区画している。
これにより、組立ケース本体を組み立てた際に組立ケースの内部空間が区画体（第１及び第２区画壁）により簡単に区画されることになり、２つの商品を仕切板により仕切る煩わしい作業を廃止して作業の効率化を図ることが可能となる上、２つの商品が整然とレイアウトされて見栄えが良好に保たれることで商品イメージを向上させることが可能となる。
しかも、一側壁面板の表面に裏面が接着された糊代片によって、この糊代片に連設される他側壁面板の裏面において第１区画壁を円滑に保持することができる。その上、前記第１区画壁に一端が連設された第２区画壁の他端が位置決め片によって第１及び第２区画壁に対し位置決めされているので、前記糊代片による第１区画壁を介した第２区画壁の一端側での保持と相俟って当該第２区画壁の他端側での保持も位置決め片により円滑に行え、第２区画壁による内部空間の区画が確実に行える。
【０００９】
これに対し、前記目的を達成するため、その他の解決手段としては、前記組立ケースを同様に前提とし、前記組立ケース本体は、前記組立ケース本体の展開時に他側の外側端に位置する他側壁面板の他側端縁に折罫部を介して折り曲げ自在に連設され、かつ前記組立ケース本体が組み立てられた際に前記組立ケース本体の展開時に一側の外側端に位置する一側壁面板の表面に裏面が接着される糊代片を備えているとともに、前記組立ケース本体が組み立てられた際に内部に形成される内部空間を区画する区画体を備えている。そして、  前記区画体に、前記一側壁面板の一側端縁に折罫部を介して一端が折り曲げ自在に連設され、かつ前記他側壁面板の裏面に沿って延びる第１区画壁と、前記組立ケース本体が組み立てられた際に前記内部空間を区画するように前記他側壁面板からこれと対向する第１対向壁面板に向かって他端が延びる第２区画壁と、前記第１区画壁と前記第２区画壁との間にそれぞれ折罫部を介して折り曲げ自在に介設され、前記組立ケース本体が組み立てられた際に前記第２区画壁の一端を前記他側壁面板の裏面側において保持するように前記一側壁面板に前記第２区画壁を挟んで対向する第２対向壁面板に対し当該第２区画壁の一端を位置決めする位置決め片と、を設けている。
【００１０】
この特定事項により、一側壁面板の一側端縁に連設された第１区画壁は、組立ケース本体が組み立てられた際に他側壁面板の裏面に沿って延び、この第１区画壁に一端が連設されて他端が第１対向壁面板に向かって延びる第２区画壁によって内部空間を区画している。
これにより、組立ケース本体を組み立てた際に組立ケースの内部空間が区画体（第１及び第２区画壁）により簡単に区画されることになり、２つの商品を仕切板により仕切る煩わしい作業を廃止して作業の効率化を図ることが可能となる上、２つの商品が整然とレイアウトされて見栄えが良好に保たれることで商品イメージを向上させることが可能となる。
しかも、一側壁面板の表面に裏面が接着された糊代片によって、この糊代片に連設される他側壁面板の裏面において第１区画壁を円滑に保持することができる。その上、前記第１区画壁に連設された第２区画壁の一端が位置決め片によって第２対向壁面板に対し位置決めされているので、前記糊代片による第１区画壁を介した第２区画壁の一端側での保持と相俟って当該第２区画壁の一端側での保持も位置決め片により円滑に行え、第２区画壁による内部空間の区画が確実に行える。
【発明の効果】
【００１１】
以上、要するに、組立ケース本体を組み立てた際に他側壁面板の裏面に沿って延びる第１区画壁に一端が連設されて前記他側壁面板と対向する第１対向壁面板に向かって他端が延びる第２区画壁によって組立ケースの内部空間を区画することで、２つの商品を仕切板により仕切る作業を廃止して作業の効率化を図ることができる上、第２区画壁による内部空間の区画を確実に行って２つの商品を整然とレイアウトして見栄えを良好に保つことで商品イメージを向上させることができる。しかも、一側壁面板の表面に糊代片の裏面を接着するとともに、前記第２区画壁の他端を位置決め片によって一側壁面板とこれに対向する第２対向壁面板とに対しそれぞれ位置決めすることで、糊代片による第１区画壁を介した第２区画壁の一端側での保持と相俟って当該第２区画壁の他端側での保持も位置決め片により円滑に行え、第２区画壁による内部空間の区画を確実に行うことができる。
【００１２】
また、組立ケース本体を組み立てた際に他側壁面板の裏面に沿って延びる第１区画壁に一端が連設されて第１対向壁面板に向かって他端が延びる第２区画壁によって組立ケースの内部空間を区画することで、２つの商品を仕切板により仕切る作業を廃止して作業の効率化を同様に図ることができる上、第２区画壁による内部空間の区画を確実に行って２つの商品を整然とレイアウトして見栄えを良好に保つことで商品イメージを同様に向上させることができる。しかも、一側壁面板の表面に糊代片の裏面を接着するとともに、前記第２区画壁の一端を位置決め片によって第２対向壁面板に対し位置決めすることで、糊代片による第１区画壁を介した第２区画壁の一端側での保持と相俟って当該第２区画壁の一端側での保持が位置決め片により円滑に行え、第２区画壁による内部空間の区画を確実に行うことができる。
【図面の簡単な説明】
【００１３】
【図１】本発明の第１の実施の形態に係る組立ケースを得るために打ち抜かれた打ち抜きシートの展開図である。
【図２】図１の組立ケースの組立ケース本体を組み立てた状態で斜め後方から見た斜視図である。
【図３】図１の組立ケースの組立ケース本体を組み立てた状態で上方から見た上面図である。
【図４】図２の組立ケース本体の上方開口及び下方開口を各サイドフラップにより塞ぐようにそれぞれ折罫部で折り曲げた状態で組立ケースを斜め後方から見た斜視図である。
【図５】図２の組立ケース本体の上方開口及び下方開口を上蓋板及び下蓋板により閉塞した状態で組立ケースを斜め後方から見た斜視図である。
【図６】本発明の第２の実施の形態に係る組立ケースを得るために打ち抜かれた打ち抜きシートの展開図である。
【図７】図６の組立ケースの組立ケース本体を組み立てた状態で斜め後方から見た斜視図である。
【図８】図６の組立ケースの組立ケース本体を組み立てた状態で上方から見た上面図である。
【図９】図７の組立ケース本体の上方開口及び下方開口を各サイドフラップにより塞ぐようにそれぞれ折罫部で折り曲げた状態で組立ケースを斜め後方から見た斜視図である。
【図１０】図７の組立ケース本体の上方開口及び下方開口を上蓋板及び下蓋板により閉塞した状態で組立ケースを斜め後方から見た斜視図である。
【図１１】本発明の第３の実施の形態に係る組立ケースを得るために打ち抜かれた打ち抜きシートの展開図である。
【図１２】図１１の組立ケースの組立ケース本体を組み立てた状態で斜め後方から見た斜視図である。
【図１３】図１１の組立ケースの組立ケース本体を組み立てた状態で上方から見た上面図である。
【図１４】従来例に係る組立ケースの組立ケース本体を組み立てた状態で斜め前方から見た斜視図である。
【発明を実施するための形態】
【００１４】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係る組立ケース１の概略構成について説明する。
【００１５】
図１に示すように、前記組立ケース１は、組立ケース本体１１と、上蓋板１２と、下蓋板１３とを備えている。この前記組立ケース１は、ポリプロピレンやポリエチレンテレフタレートなどの透明プラスチックシートを打ち抜いて形成した打ち抜きシートＳ１を組み立てることによって得られる。
【００１６】
前記組立ケース本体１１は、前壁面板１１ａ、左壁面板１１ｂ、後壁面板１１ｃ、及び右壁面板１１ｄの４つの壁面板１１ａ〜１１ｄにより構成されている。前記各壁面板１１ａ〜１１ｄのうち、前記前壁面板１１ａは、組立ケース本体１１の展開時に他側の外側端（図１では右側端）に位置している。前記各壁面板１１ａ〜１１ｄは、互いに相隣る壁面板の側端縁同士が折罫部２１を介して折り曲げ自在に連設されている。そして、図２及び図３に示すように、前記組立ケース本体１１（各壁面板１１ａ〜１１ｄ）は、軸線ｍ（図２に表れる）を上下方向へ延ばすように前後方向に薄い４角筒状に組み立てられる。また、前記組立ケース本体１１は、前記前壁面板１１ａの外端縁（反左壁面板１１ｂ側の端縁）に折罫部２２を介して折り曲げ自在に連設された糊代片１１ｅを備えている。そして、前記組立ケース本体１１は、前記前壁面板１１ａと糊代片１１ｅとの間の折罫部２２が前記右壁面板１１ｄの反後壁面板１１ｃ側の端縁に略一致するように糊代片１１ｅを右壁面板１１ｄの表面に両面粘着テープ１０で貼り合わせることによって組立形状を保持している。
【００１７】
また、前記上蓋板１２は、前記組立ケース本体１１の前壁面板１１ａの上端縁に折罫部２３を介して折り曲げ自在に連設されている。この上蓋板１２は、前記組立ケース本体１１の上方に開口する上方開口１４を閉塞するためのものである。また、上蓋板１２は、その反前壁面板１１ａ側の端縁（図１では上端縁）に差込舌片１５を備えている。この差込舌片１５は、図４に示すように、前記上蓋板１２が上方開口１４を閉塞した状態で、前記組立ケース本体１１内に入り込む。そして、前記差込舌片１５は、その幅が前記上蓋板１２の反前壁面板１１ａ側の端縁の中央位置においてその端縁の幅の略四分の三に設定された基端部１５１と、前記後壁面板１１ｃの裏面に沿って組立ケース本体１１内に差し込まれる差込舌片本体１５２とを備えている。更に、前記差込舌片１５の基端部１５１は、前記上蓋板１２の反前壁面部１１ａ側の端縁中央に設けられた凹設部１２１に折罫部２４を介して折り曲げ自在に連設されている。
【００１８】
一方、前記下蓋板１３は、前記前壁面板１１ａの下端縁に折罫部２５を介して折り曲げ自在に連設されている。この下蓋板１３は、前記組立ケース本体１１の下方に開口する下方開口１６を閉塞するためのものである。そして、前記前壁面板１１ａ及び後壁面板１１ｃの下端縁の中央位置にはそれぞれ下方に突出する凸辺１１ｆ，１１ｆが形成され、この各凸辺１１ｆによって、前記下蓋板１３が下方開口１６を閉塞した状態で組立ケース１が縦置き状態で安定に保持されるようにしている。この場合、前壁面板１１ａの下端縁の折罫部２５は、凸辺１１ｆの左右両側に設けられている。
【００１９】
また、前記下蓋板１３は、その反前壁面板１１ａ側の端縁（図１では下端縁）に差込舌片１７を備えている。この差込舌片１７は、前記下蓋板１３が下方開口１６を閉塞した状態で、前記組立ケース本体１１内に入り込む。そして、前記差込舌片１７は、その幅が前記下蓋板１３の反前壁面板１１ａ側の端縁の中央位置においてその端縁の幅の略四分の三に設定された基端部１７１と、前記後壁面板１１ｃの裏面に沿って組立ケース本体１１内に差し込まれる差込舌片本体１７２とを備えている。更に、前記差込舌片１７の基端部１７１は、前記下蓋板１３の反前壁面板１１ａ側の端縁中央に設けられた凹設部１３１に折罫部２６を介して折り曲げ自在に連設されている。
【００２０】
更に、前記左壁面板１１ｂ及び前記右壁面板１１ｄの上下両端縁には、それぞれサイドフラップ１８が折罫部２７を介して折り曲げ自在に連設されている。これらのサイドフラップ１８は、上方開口１４及び下方開口１６を塞ぐように折罫部２７で折り曲げられたとき、その先端同士が互いに重なり合わない長さ、つまり前壁面板１１ａ及び後壁面板１１ｃの幅方向（図１では左右方向）の長さの半分よりも短い長さに形成されている。また、前記各サイドフラップ１８は、前記各折罫部２７で折り曲げられたとき、それぞれの前端辺が前壁面板１１ａと上蓋板１２又は下蓋板１３との折罫部２３，２５に略一致するように前記各折罫部２７に対し直交する方向に直線状に延びている。一方、前記各サイドフラップ１８の後端辺は、前記各折罫部２７で折り曲げられたとき、前記各折罫部２７に対しそれぞれ直交する方向に直線状に延びたのち前記折罫部２３，２５側へ段差状に切り欠かれて前記各サイドフラップ１８の先端に向かって斜め方向に延びている。
【００２１】
また、図５に示すように、前記各サイドフラップ１８が前記各折罫部２７で折り曲げられたとき、その上方開口１４及び下方開口１６において両サイドフラップ１８の後端辺と後壁面板１１ｃとの間に挿入隙間１９が形成される。この挿入隙間１９は、前記差込舌片１５，１７の基端部１５１，１７１側とほぼ同幅に形成され、前記差込舌片１５，１７が後壁面板１１ｃの裏面に沿っていれば、挿入がスムーズに行われる。この場合、前記差込舌片１５，１７は、その基端部１５１，１７１が前記上蓋板１２及び下蓋板１３の反前壁面板１１ａ側の端縁中央の凹設部１２１，１３１に折罫部２４，２６を介して連設されているので、前記挿入隙間１９に差込舌片１５，１７の基端部１５１，１７１が挿入されると、その基端部１５１，１７１よりも外側に位置する差込舌片１５，１７の基端部１５１，１７１側の端縁が各サイドフラップ１８の裏面に係合し、上蓋板１２及び下蓋板１３の開放を規制する機能を有している。
【００２２】
更に、前記後壁面板１１ｃの上端縁には、当該後壁面板１１ｃよりも上方へ突出する突片２９が一体的に突設されている。この突片２９は、前記後壁面板１１ｃとほぼ同一の幅に形成され、その上方への突出長さが前記上蓋板１２の長さつまり上蓋板１２の折罫部２３，２４間での長さよりも僅かに短く形成されている。また、前記突片２９の上端縁左右の角部は、それぞれ円弧状に面取り加工されている。この突片２９の中央位置には組立ケース１を吊下するための吊下孔２９ａが穿設されている。そして、前記後壁面板１１ｃの上端縁には、前記突片２９を前方へ折り曲げ可能とする折罫部２８が形成されている。この場合、前記後壁面板１１ｃの上端縁の折罫部２８は、組立ケース１を組み立てて内部に商品を収容した状態で複数個をケース状の梱包材に箱詰めして保管流通に供する際に、上蓋板１２の表面に沿って折り曲げられることで、前記梱包材への箱詰め効率を高めるようにしている。
【００２３】
そして、前記組立ケース本体１１は、その組立ケース本体１１が組み立てられた際に内部に形成される内部空間３０を第１空間３０ａと第２空間３０ｂとに略均等に左右に区画する区画体３を備えている。この区画体３は、第１区画壁３１と第２区画壁３２とを備えている。前記第１区画壁３１は、前記組立ケース本体１１の展開時に一側（図１では左側）の外側端に位置する一側壁面板としての右壁面板１１ｄの反後壁面板１１ｃ側（図１では左側）の端縁に折罫部３３を介して一端（図１では右端）が折り曲げ自在に連設されている。そして、前記第１区画壁３１は、前記組立ケース本体１１の展開時に他側（図１では右側）の外側端に位置する他側壁面板としての前壁面板１１ａの裏面に沿って延び、その延出端となる他端が当該前壁面板１１ａの幅方向略中央位置に位置している。また、第２区画壁３２は、前記第１区画壁３１に折罫部３４を介して一端（図１では右端）が折り曲げ自在に連設されている。この第２区画壁３２は、前記組立ケース本体１１が組み立てられた際に前記内部空間３０を幅方向（左右方向）で第１空間３０ａ及び第２空間３０ｂに区画するように前記前壁面板１１ａと対向する第１対向壁面板としての後壁面板１１ｃに向かって延び、その先端となる他端が当該後壁面板１１ｃの裏面に達している。この場合、第１区画壁３１と第２区画壁３２との間の折罫部３４は、断続的に破断された弱め線により構成されてなる。
【００２４】
また、前記区画体３は、前記第２区画壁３２の他端に折罫部３６を介して折り曲げ自在に連設された位置決め片３５を備えている。この位置決め片３５は、前記第２区画壁３２の他端を前記後壁面板１１ｃの裏面側において保持して位置決めするためのものである。また、前記位置決め片３５は、前記組立ケース本体１１が組み立てられた際に、前記第２区画壁３２の他端より前記左壁面板１１ｂの裏面側に向かって延びる第１延設片３５ａと、前記第２区画壁３２の他端より前記右壁面板１１ｄの裏面側に向かって延びる第２延設片３５ｂとを備えている。前記第１延設片３５ａは、前記第２区画壁３２の他端の折罫部３６により折り曲げられた際にその第２区画壁３２の他端より前記左壁面板１１ｂに向くものである。これに対し、前記第２延設片３５ｂは、前記第２区画壁３２の他端より右壁面板１１ｄに向くように前記第２区画壁３２から第１区画壁３１に至る部位を略半円形状に切り欠いて前記第１延設片３５ａの中央部に一体的に形成されたものである。また、前記第１延設片３５ａの先端は左壁面板１１ｂの裏面に当接している一方、前記第２延設片３５ｂの先端は右壁面板１１ｄの裏面に当接している。そして、前記位置決め片３５によって、前記第２区画壁３２の他端を左壁面板１１ｂと右壁面板１１ｄとに対しそれぞれ位置決めしている。なお、３７は、第２延設片３５ｂを形成するに当たって第２区画壁３２から第１区画壁３１に至る部位に略半円形状に切り欠かれた切欠部である。
【００２５】
したがって、前記第１の実施の形態では、組立ケース本体１１に、その組立ケース本体１１が組み立てられた際に内部空間３０を第１空間３０ａ及び第２空間３０ｂに区画する区画体３を設けている。つまり、右壁面板１１ｄの反後壁面板１１ｃ側の端縁に連設された第１区画壁３１は、組立ケース本体１１が組み立てられた際に前壁面板１１ａの裏面に沿ってその幅方向略中央位置まで延び、この第１区画壁３１に一端が連設されて他端が後壁面板１１ｃに向かって延びる第２区画壁３２によって内部空間３０を第１空間３０ａと第２空間３０ｂとに区画している。
これにより、組立ケース本体１１を組み立てた際に組立ケース１の内部空間３０が区画体３（第１及び第２区画壁３１，３２）により簡単に２つに区画されることになり、２つの商品を仕切板により仕切る煩わしい作業を廃止して作業の効率化を図ることができる上、２つの商品が第１空間３０ａ及び第２空間３０ｂに整然とレイアウトされて見栄えが良好に保たれることで商品イメージを向上させることができる。
【００２６】
しかも、前記前壁面板１１ａと糊代片１１ｅとの間の折罫部２２が、前記右壁面板１１ｄの反後壁面板１１ｃ側の端縁つまり第１区画壁３１との間の折罫部３３に略一致するように糊代片１１ｅの裏面が両面粘着テープ１０で右壁面板１１ｄの表面に貼り合わされているので、右壁面板１１ｄに連設された第１区画壁３１の一端が前壁面板１１ａと糊代片１１ｅとの折罫部２２に固定されることになり、この糊代片１１ｅに連設される前壁面板１１ａの裏面において第１区画壁３１が円滑に保持される。その上、前記第２区画壁３２の他端に、その他端を前記組立ケース本体１１が組み立てられた際に前記後壁面板１１ｃの裏面側において保持するように前記右壁面板１１ｄと左壁面板１１ｂとに対しそれぞれ位置決めする位置決め片３５が設けられているので、この位置決め片３５によって、第２区画壁３２の他端側での内部空間３０の第１空間３０ａと第２空間３０ｂとの区画位置が保持される。
これにより、前記糊代片１１ｅによる第１区画壁３１を介した第２区画壁３２の他端側での保持と相俟って前記第２区画壁３２の他端側での保持も位置決め片１１ｅにより円滑に行え、当該第２区画壁３２による内部空間３０の第１空間３０ａと第２空間３０ｂとの区画をその第２区画壁３２の他端において確実に行うことができる。
【００２７】
更に、第２区画壁３２の他端を右壁面板１１ｄに対し位置決めする第２延設片３５ｂが、第２区画壁３２の他端より右壁面板１１ｄに向くように第２区画壁３２から第１区画壁３１に至る部位を略半円形状に切り欠いて第１延設片３５ａの中央部に一体的に形成されているので、第１区画壁３１及び第２区画壁３２の一部を利用して第２延設片３５ｂが無駄なく形成され、内部空間３０を第１空間３０ａと第２空間３０ｂとに区画する区画体３（第１及び第２区画壁３１，３２並びに位置決め片３５）を組立ケース本体１１と共に効率よく一体形成することができる。
【００２８】
次に、本発明の第２の実施の形態を図６〜図１０に基づいて説明する。
この実施の形態では、前壁面板に対する内部空間の区画方向を変更している。
すなわち、本実施の形態では、図６に示すように、組立ケース４は、組立ケース本体４１と、上蓋板４２と、下蓋板４３とを備えている。この前記組立ケース４は、ポリプロピレンやポリエチレンテレフタレートなどの透明プラスチックシートを打ち抜いて形成した打ち抜きシートＳ２を組み立てることによって得られる。
【００２９】
前記組立ケース本体４１は、左壁面板４１ａ、前壁面板４１ｂ、右壁面板４１ｃ、及び後壁面板４１ｄの４つの壁面板４１ａ〜４１ｄにより構成されている。前記各壁面板４１ａ〜４１ｄのうち、前記左壁面板４１ａは、組立ケース本体４１の展開時に他側の外側端（図６では右側端）に位置している。前記各壁面板４１ａ〜４１ｄは、互いに相隣る壁面板の側端縁同士が折罫部５１を介して折り曲げ自在に連設されている。そして、図７及び図８に示すように、前記組立ケース本体４１（各壁面板４１ａ〜４１ｄ）は、軸線ｎを上下方向へ延ばすように前後方向に薄い４角筒状に組み立てられる。また、前記組立ケース本体４１は、前記左壁面板４１ａの外端縁（反前壁面板４１ｂ側の端縁）に折罫部５２を介して折り曲げ自在に連設された糊代片４１ｅを備えている。そして、前記組立ケース本体４１は、前記左壁面板４１ａと糊代片４１ｅとの間の折罫部５２が前記後壁面板４１ｄの反右壁面板４１ｃ側の端縁に略一致するように糊代片４１ｅを後壁面板４１ｄの表面に両面粘着テープ４０で貼り合わせることによって組立形状を保持している。
【００３０】
また、前記上蓋板４２は、前記組立ケース本体４１の前壁面板４１ｂの上端縁に折罫部５３を介して折り曲げ自在に連設されている。この上蓋板４２は、前記組立ケース本体４１の上方に開口する上方開口４４を閉塞するためのものである。また、上蓋板４２は、その反前壁面板４１ｂ側の端縁（図１では上端縁）に差込舌片４５を備えている。この差込舌片４５は、図９に示すように、前記上蓋板４２が上方開口４４を閉塞した状態で、前記組立ケース本体４１内に入り込む。そして、前記差込舌片４５は、その幅が前記上蓋板４２の反前壁面板４１ｂ側の端縁の中央位置においてその端縁の幅の略四分の三に設定された基端部４５１と、前記後壁面板４１ｄの裏面に沿って組立ケース本体４１内に差し込まれる差込舌片本体４５２とを備えている。更に、前記差込舌片４５の基端部４５１は、前記上蓋板４２の反前壁面部４１ｂ側の端縁中央に設けられた凹設部４２１に折罫部５４を介して折り曲げ自在に連設されている。
【００３１】
一方、前記下蓋板４３は、前記前壁面板４１ｂの下端縁に折罫部５５を介して折り曲げ自在に連設されている。この下蓋板４３は、前記組立ケース本体４１の下方に開口する下方開口４６を閉塞するためのものである。また、前記下蓋板４３は、その反前壁面板４１ｂ側の端縁（図６では下端縁）に差込舌片４７を備えている。この差込舌片４７は、前記下蓋板４３が下方開口４６を閉塞した状態で、前記組立ケース本体４１内に入り込む。そして、前記差込舌片４７は、その幅が前記下蓋板４３の反前壁面板４１ｂ側の端縁の中央位置においてその端縁の幅の略四分の三に設定された基端部４７１と、前記後壁面板４１ｄの裏面に沿って組立ケース本体４１内に差し込まれる差込舌片本体４７２とを備えている。更に、前記差込舌片４７の基端部４７１は、前記下蓋板４３の反前壁面板４１ｂ側の端縁中央に設けられた凹設部４３１に折罫部５６を介して折り曲げ自在に連設されている。
【００３２】
更に、前記左壁面板４１ａ及び前記右壁面板４１ｃの上下両端縁には、それぞれサイドフラップ４８が折罫部５７を介して折り曲げ自在に連設されている。これらのサイドフラップ４８は、上方開口４４及び下方開口４６を塞ぐように折罫部５７で折り曲げられたとき、その先端同士が互いに重なり合わない長さ、つまり前壁面板４１ｂ及び後壁面板４１ｄの幅方向（図６では左右方向）の長さの半分よりも短い長さに形成されている。また、前記各サイドフラップ４８は、前記各折罫部５７で折り曲げられたとき、それぞれの前端辺が前壁面板４１ｂと上蓋板４２又は下蓋板４３との折罫部５３，５５に略一致するように前記各折罫部５７に対し直交する方向に直線状に延びている。一方、前記各サイドフラップ４８の後端辺は、前記各折罫部５７で折り曲げられたとき、前記各折罫部５７に対しそれぞれ直交する方向に直線状に延びたのち前記折罫部５３，５５側へ段差状に切り欠かれて前記各サイドフラップ４８の先端に向かって斜め方向に延びている。
【００３３】
また、図９に示すように、前記各サイドフラップ４８が前記各折罫部５７で折り曲げられたとき、その上方開口４４及び下方開口４６において両サイドフラップ４８の後端辺と後壁面板４１ｄとの間に挿入隙間４９が形成される。この挿入隙間４９は、前記差込舌片４５，４７の基端部４５１，４７１側とほぼ同幅に形成され、前記差込舌片４５，４７が後壁面板４１ｄの裏面に沿っていれば、挿入がスムーズに行われる。この場合、前記差込舌片４５，４７は、その基端部４５１，４７１が前記上蓋板４２及び下蓋板４３の反前壁面板４１ｂ側の端縁中央の凹設部４２１，４３１に折罫部５４，５６を介して連設されているので、前記挿入隙間４９に差込舌片４５，４７の基端部４５１，４７１が挿入されると、その基端部４５１，４７１よりも外側に位置する差込舌片４５，４７の基端部４５１，４７１側の端縁が各サイドフラップ４８の裏面に係合し、上蓋板４２及び下蓋板４３の開放を規制する機能を有している。
【００３４】
そして、前記組立ケース本体４１は、その組立ケース本体４１が組み立てられた際に内部に形成される内部空間６０を所定の比率（例えば１：２の比率）で第１空間６０ａ（図８では下側の空間）と第２空間６０ｂ（図８では上側の空間）とに前後に区画する区画体６を備えている。この区画体６は、第１区画壁６１と第２区画壁６２とを備えている。前記第１区画壁６１は、前記組立ケース本体４１の展開時に一側（図６では左側）の外側端に位置する一側壁面板としての後壁面板４１ｄの反右壁面板４１ｃ側（図６では左側）の端縁に折罫部６３を介して一端（図６では右端）が折り曲げ自在に連設されている。そして、前記第１区画壁６１は、前記組立ケース本体４１の展開時に他側（図６では右側）の外側端に位置する他側壁面板としての左壁面板４１ａの裏面に沿って他端が当該左壁面板４１ａの全幅の略三分の一付近の位置まで延びている。また、第２区画壁６２は、前記第１区画壁６１の他端に折罫部６４を介して一端（図６では右端）が折り曲げ自在に連設されている。この第２区画壁６２の他端は、前記組立ケース本体４１が組み立てられた際に前記内部空間６０を第１空間６０ａと第２空間６０ｂとに前後に区画するように前記左壁面板４１ａと対向する第１対向壁面板としての右壁面板４１ｃに向かって延び、その先端となる他端が当該右壁面板４１ｃの裏面に達している。この場合、第１区画壁６１と第２区画壁６２との間の折罫部６４は、断続的に破断された弱め線により構成されてなる。
【００３５】
また、前記区画体６は、前記第２区画壁６２の他端に折罫部６６を介して折り曲げ自在に連設された位置決め片６５を備えている。この位置決め片６５は、前記第２区画壁６２の他端を前記右壁面板４１ｃの裏面側において保持して位置決めするためのものである。また、前記位置決め片６５は、前記組立ケース本体４１が組み立てられた際に、前記第２区画壁６２の他端より前記前壁面板４１ｂの裏面側に向かって延びる第１延設片６５ａと、前記第２区画壁６２の他端より前記後壁面板４１ｄの裏面側に向かって延びる第２延設片６５ｂとを備えている。前記第１延設片６５ａは、前記第２区画壁６２の他端の折罫部６６により折り曲げられた際にその第２区画壁６２の他端より前記前壁面板４１ｂに向くものである。これに対し、前記第２延設片６５ｂは、前記第２区画壁６２の他端より後壁面板４１ｄに向くように前記第２区画壁６２の対応部位を略円弧状に切り欠いて前記第１延設片６５ａの中央部に一体的に形成されたものである。また、前記第１延設片６５ａの先端は前壁面板４１ｂの裏面に当接している一方、前記第２延設片６５ｂの先端は後壁面板４１ｄの裏面に当接している。そして、前記位置決め片６５によって、前記第２区画壁６２の他端を前壁面板４１ｂと後壁面板４１ｄとに対しそれぞれ位置決めしている。
【００３６】
したがって、前記第２の実施の形態では、組立ケース本体４１に、その組立ケース本体４１が組み立てられた際に内部空間６０を第１空間６０ａと第２空間６０ｂとに前後に区画する区画体６を設けている。つまり、後壁面板４１ｄの反右壁面板４１ｃ側の端縁に連設された第１区画壁６１は、左壁面板４１ａの裏面に沿って全幅の略三分の一付近の位置まで延び、この第１区画壁６１の他端に一端が連設されて他端が右壁面板４１ｃに向かって延びる第２区画壁６２によって内部空間６０を第１空間６０ａと第２空間６０ｂとに前後に区画している。
これにより、組立ケース本体４１を組み立てた際に組立ケース４の内部空間６０が区画体６（第１及び第２区画壁６１，６２）により簡単に前後２つに区画されることになり、２つの商品を仕切板により仕切る煩わしい作業を廃止して作業の効率化を図ることができる上、大きさの異なる２つの商品が第１空間６０ａ及び第２空間６０ｂに整然とレイアウトされて見栄えが良好に保たれることで商品イメージを向上させることができる。
【００３７】
しかも、前記左壁面板４１ａと糊代片４１ｅとの間の折罫部５２が、前記後壁面板４１ｄの反右壁面板４１ｃ側の端縁つまり第１区画壁６１との間の折罫部６３に略一致するように糊代片４１ｅの裏面が両面粘着テープ４０で後壁面板４１ｄの表面に貼り合わされているので、後壁面板４１ｄに連設された第１区画壁６１の一端が左壁面板４１ａと糊代片４１ｅとの折罫部５２に固定されることになり、この糊代片４１ｅに連設される左壁面板４１ａの裏面において第１区画壁６１が円滑に保持される。その上、前記第２区画壁６２の他端に、その他端を前記組立ケース本体４１が組み立てられた際に前記右壁面板４１ｃの裏面側において保持するように前記後壁面板４１ｄと前壁面板４１ｂとに対しそれぞれ位置決めする位置決め片６５が設けられているので、この位置決め片６５によって、第２区画壁６２の他端側での内部空間６０の第１空間６０ａと第２空間６０ｂとの区画位置が保持される。
これにより、前記糊代片４１ｅによる第１区画壁６１を介した第２区画壁６２の他端側での保持と相俟って前記第２区画壁６２の他端側での保持も位置決め片４１ｅにより円滑に行え、当該第２区画壁６２による内部空間６０の第１空間６０ａと第２空間６０ｂとの区画をその第２区画壁６２の他端において確実に行うことができる。
【００３８】
更に、第２区画壁６２の他端を後壁面板４１ｄに対し位置決めする第２延設片６５ｂが、第２区画壁６２の他端より後壁面板４１ｄに向くように第２区画壁６２の対応部位を略円弧状に切り欠いて第１延設片６５ａの中央部に一体的に形成されているので、第２区画壁６２を利用して第２延設片６５ｂが無駄なく形成され、内部空間６０を第１空間６０ａと第２空間６０ｂとに区画する区画体６（第１及び第２区画壁６１，６２並びに位置決め片６５）を組立ケース本体４１と共に効率よく一体形成することができる。
【００３９】
次に、本発明の第３の実施の形態を図１１〜図１３に基づいて説明する。
この実施の形態では、前記第２の実施の形態で用いた区画体の構成を変更している。なお、区画体を除くその他の構成は、前記第２の実施の形態と同じであり、同一部分については同じ符号を付して、その詳細な説明は省略する。
すなわち、本実施の形態では、図１１に示すように、組立ケース４´は、組立ケース本体４１と、上蓋板４２と、下蓋板４３とを備えている。この前記組立ケース４´は、ポリプロピレンやポリエチレンテレフタレートなどの透明プラスチックシートを打ち抜いて形成した打ち抜きシートＳ３を組み立てることによって得られる。
【００４０】
そして、前記組立ケース本体４１は、その組立ケース本体４１が組み立てられた際に内部空間６０を所定の比率（例えば１：２の比率）で第１空間６０ａと第２空間６０ｂとに区画する区画体７を備えている。この区画体７は、第１区画壁７１と第２区画壁７２とを備えている。前記第１区画壁７１は、一側壁面板としての後壁面板４１ｄの反右壁面板４１ｃ側（図１１では左側）の端縁に折罫部７４を介して一端（図１１では右端）が折り曲げ自在に連設されている。そして、前記第１区画壁７１は、他側壁面板としての左壁面板４１ａの裏面に沿って他端が当該左壁面板４１ａの全幅の略三分の二付近の位置まで延びている。また、第２区画壁７２は、前記第１区画壁７１に位置決め片７５（後述する）を介して連設されている。この第２区画壁７２は、前記組立ケース本体４１が組み立てられた際に前記内部空間６０を前後方向で第１空間６０ａと第２空間６０ｂとに区画するように前記右壁面板４１ｃに沿う位置から前記左壁面板４１ａと対向する第１対向壁面板としての右壁面板４１ｃに向かって他端を延ばしている。
【００４１】
また、前記区画体７は、前記第１区画壁７１の他端に折罫部７６を介して折り曲げ自在に連設された位置決め片７５を備えている。この位置決め片７５は、前記第１区画壁７１と前記第２区画壁７２との間に介設され、第２区画壁７２の一端に対し折罫部７３を介して折り曲げ自在に連設されている。前記位置決め片７５は、前記第２区画壁７２の一端を前記左壁面板４１ａの裏面側において保持して位置決めするためのものである。また、前記位置決め片７５は、前記第１区画壁７１の他端より前記後壁面板４１ｄの裏面側に向かって延びる第１延設片７５ａと、前記第１区画壁７１の他端より前記前壁面板４１ｂの裏面側に向かって延びる第２延設片７５ｂとを備えている。前記第１延設片７５ａは、前記第１区画壁７１の他端の折罫部７６により１８０°折り曲げられてその第１区画壁７１の他端より前記後壁面板４１ｃに向くものであり、その延出端となる他端が前記第１区隔壁７１の略半分の位置（左壁面板４１ａの全幅では後壁面板４１ｄ側から略三分の一付近の位置）に位置している。これに対し、前記第２延設片７５ｂは、前記第１区画壁７１の他端より前壁面板４１ｂに向くように前記第１区画壁７１の対応部位を円弧状に切り欠いて前記第１延設片７５ａの中央部に一体的に形成されたものであり、その先端が前壁面板４１ｂに当接している。そして、前記第２区画壁７２の一端は、前記第１区画壁７１によって後壁面板４１ｄに対し位置決めされるとともに、前記位置決め片７５の第２延設片７５ｂによって、前壁面板４１ｂに対し位置決めされる。
【００４２】
したがって、前記第３の実施の形態では、組立ケース本体４１に、その組立ケース本体４１が組み立てられた際に内部空間６０を第１空間６０ａと第２空間６０ｂとに前後に区画する区画体７を設けている。つまり、後壁面板４１ｄの反右壁面板４１ｃ側の端縁に連設されて左壁面板４１ａの裏面に沿って全幅の略三分の二付近の位置まで第１区画壁７１を延ばし、その第１区画壁７１の他端より折罫部７６により１８０°折り曲げられて後壁面板４１ｄに向いて当該第１区隔壁７１の略半分の位置（左壁面板４１ａの全幅では後壁面板４１ｄ側から略三分の一付近の位置）に他端を位置させた位置決め片７５（第１延設片７５ａ）に、他端が右壁面板４１ｃに向かって延びる第２区画壁６２を連設することにより内部空間６０を第１空間６０ａと第２空間６０ｂとに前後に区画している。
これにより、組立ケース本体４１を組み立てた際に組立ケース４の内部空間６０が区画体７（第１、第２区画壁７１，７２及び位置決め片７５）により簡単に前後２つに区画されることになり、２つの商品を仕切板により仕切る煩わしい作業を廃止して作業の効率化を図ることができる上、大きさの異なる２つの商品が第１空間６０ａ及び第２空間６０ｂに整然とレイアウトされて見栄えが良好に保たれることで商品イメージを向上させることができる。
【００４３】
しかも、前記後壁面板４１ｄの表面に裏面が接着された糊代片４１ｅによって、この糊代片４１ｅに連設される左壁面板４１ａの裏面において第１区画壁７１が円滑に保持される。その上、前記第１区画壁７１に連設された第２区画壁７２の一端が位置決め片７５によって前壁面板４１ｂに対し位置決めされているので、前記糊代片４１ｅによる第１区画壁７１を介した第２区画壁７２の一端側での保持と相俟って当該第２区画壁７２の一端側での保持も位置決め片４１ｅにより円滑に行え、当該第２区画壁７２による内部空間６０の第１空間６０ａと第２空間６０ｂとの区画をその第２区画壁７２の一端において確実に行うことができる。
【００４４】
なお、本発明は、前記各実施の形態に限定されるものではなく、その他種々の変形例を包含している。例えば、前記第１の実施の形態では、内部空間３０を区画体３によって第１空間３０ａと第２空間３０ｂとに略均等に左右に区画したが、２つの商品の大きさに応じて内部空間が区画体によって第１空間と第２空間とに不均等に左右に区画されていてもよいのはもちろんである。
一方、前記第２及び第３の実施の形態では、内部空間６０を区画体６，７によって例えば１：２の比率で第１空間６０ａと第２空間６０ｂとに前後に区画したが、内部空間が区画体によって第１空間と第２空間とに均等に前後に区画されていたり、２つの商品の大きさに応じて内部空間が区画体によって第１空間と第２空間とに不均等に前後に区画されていてもよいのはもちろんである。
【００４５】
また、前記各実施の形態では、透明プラスチックシートを打ち抜いて形成した打ち抜きシートＳ１〜Ｓ３を組み立てることによって組立ケース１，４，４´を得たが、紙シートを打ち抜いて形成した打ち抜きシートを組み立てることによって組立ケースが得られるようにしてもよい。
【００４６】
更に、前記各実施の形態では、糊代片１１ｅ，４１ｅを右壁面板１１ｄ又は後壁面板４１ｄの表面に両面粘着テープ１０，４０で貼り合わせたが、糊代片が右壁面板又は後壁面板の表面に接着剤で接着されていてもかまわないし、熱による熱融着により接着されていても構わない。
また、前記各実施の形態では、各サイドフラップ１８，４８が上方開口１４，４４及び下方開口１６，４６を塞ぐように折罫部２７，５７で折り曲げられたとき、その先端同士が互いに重なり合わない長さに形成したが、先端同士が互いに重なり合う長さにサイドフラップが形成されていてもよい。
【符号の説明】
【００４７】
１      組立ケース
１１    組立ケース本体
１１ａ  前壁面板（他側壁面板）
１１ｂ  左壁面板（第２対向壁面板）
１１ｃ  後壁面板（第１対向壁面板）
１１ｄ  右壁面板（一側壁面板）
１１ｅ  糊代片
１２    上蓋板
１３    下蓋板
１４    上方開口
１６    下方開口
２１    折罫部
２２    折罫部
２３    折罫部
２５    折罫部
３      区画体
３０    内部空間
３１    第１区画壁
３２    第２区画壁
３３    折罫部
３４    折罫部
３５    位置決め片
４      組立ケース
４´    組立ケース
４１    組立ケース本体
４１ａ  左壁面板（他側壁面板）
４１ｂ  前壁面板（第２対向壁面板）
４１ｃ  右壁面板（第１対向壁面板）
４１ｄ  後壁面板（一側壁面板）
４１ｅ  糊代片
４２    上蓋板
４３    下蓋板
４４    上方開口
４６    下方開口
５１    折罫部
５２    折罫部
５３    折罫部
５５    折罫部
６      区画体
６０    内部空間
６１    第１区画壁
６２    第２区画壁
６３    折罫部
６４    折罫部
６５    位置決め片
７      区画体
７１    第１区画壁
７２    第２区画壁
７３    折罫部
７４    折罫部
７５    位置決め片
ｍ，ｎ  軸線
【図１】
2011136720.tif 000003
【図２】
2011136720.tif 000004
【図３】
2011136720.tif 000005
【図４】
2011136720.tif 000006
【図５】
2011136720.tif 000007
【図６】
2011136720.tif 000008
【図７】
2011136720.tif 000009
【図８】
2011136720.tif 000010
【図９】
2011136720.tif 000011
【図１０】
2011136720.tif 000012
【図１１】
2011136720.tif 000013
【図１２】
2011136720.tif 000014
【図１３】
2011136720.tif 000015
【図１４】
2011136720.tif 000016